(57)【要約】【課題】デジタルカメラで取得されて記録メディアに記録されたデータを読み出してコンピュータが管理している記録装置に格納する際のフォルダの上書きを防止する。【解決手段】記録メディアに格納されている画像データファイルのうち、ユーザにより指定された画像データファイルに含まれる付帯情報（デジタルカメラのシリアル番号、露光制御モード、撮影年月日）を解析し、ユーザにより格納先として指定されたＨＤＤ側の指定フォルダ内の既存のフォルダのフォルダ名と比較する（ステップ２０６）。何れの種類の付帯情報をフォルダ名に用いれば既存フォルダと区別可能かを判別していき（ステップ２０８、２１０、２１２）、既存フォルダと区別可能な付帯情報をフォルダ名に決定し（ステップ２１６）、ＨＤＤの指定フォルダ内に該決定したフォルダ名で新規フォルダを作成し（ステップ２３０）、該新規フォルダ内に画像データを格納する（ステップ２３０）。【選択図】　図７
2004056707.tif 000002
【特許請求の範囲】
【請求項１】
複数のフォルダを記録可能な記録装置を備えたコンピュータにおけるフォルダの作成方法であって、
デジタルカメラにより撮影して取得された画像データが付帯情報と共に記録された記録メディアから前記画像データを読み出して前記記録装置に格納する際に、
該読み出した画像データを格納するために、前記付帯情報を用いて既存の前記フォルダと異なるフォルダ名を付けたフォルダを前記記録装置に新規に作成する、
ことを特徴とするフォルダの作成方法。
【請求項２】
複数のフォルダを記録可能な記録装置を備え、且つデジタルカメラにより撮影して取得された画像データが付帯情報と共に記録された記録メディアにアクセス可能なコンピュータに実行させるプログラムであって、
前記記録メディアから前記画像データを読み出して前記記録装置に格納する際に、
既存の前記フォルダのフォルダ名と異なるように、前記付帯情報を用いてフォルダ名を付けたフォルダを前記記録装置に新規に作成し、
該新規に作成したフォルダに前記記録メディアから読み出した前記画像データを格納する、
ことを特徴とするプログラム。
【請求項３】
前記記録装置に既存のフォルダのフォルダ名と前記画像データの付帯情報とを比較し、
前記既存のフォルダと区別可能な付帯情報を選択して新規フォルダのフォルダ名とする、
ことを特徴とする請求項２に記載のプログラム。
【発明の詳細な説明】
【０００１】
【発明の属する技術分野】
本発明は、フォルダの作成方法及びプログラムに係わり、特に、複数のフォルダを記録可能な記録装置を備えたコンピュータにおいて、デジタルカメラにより撮影して取得された画像データが付帯情報と共に記録された記録メディアから前記画像データを読み出して前記記録装置に格納するためのフォルダの作成方法、及びコンピュータに実行させるプログラムに関する。
【０００２】
【従来の技術】
従来より、デジタルカメラでは、記録メディアが着脱可能或いは内蔵されており、被写体像を撮影して取得した画像データを記録メディアに記録することができるようになっている。近年のデジタルカメラは、撮影により取得した画像データを付帯情報と共にファイル化して、自動的にファイル名を付与して記録メディアに記録するのが一般的である。この場合、画像データのファイル（画像データファイル）に付与されるファイル名は、通し番号などユーザには何ら意味をなさないものであることが多い。
【０００３】
このため、デジタルカメラには、所定の条件毎にフォルダを作成し、該フォルダ内に画像データを格納して、撮影した画像データをグループ分けすることで、ユーザが画像データの区別を容易にすることができるようになっているものがある。例えば、特開２００１−５４０４１号公報には、撮影日付毎にフォルダを自動的に作成し、撮影日付毎に撮影により取得した画像データを管理する技術が提案されている。
【０００４】
ところで、一般に、デジタルカメラは、パーソナルコンピュータ（ＰＣ）とＵＳＢケーブルなどの所定の通信手段を介して接続し、所望の加工を施したり、プリントアウトするために、撮影により取得した画像データをＰＣ側に取り込む（アップロード）ことができるようになっている。
【０００５】
【発明が解決しようとする課題】
ところで、例えば、ある記録メディアからＰＣに画像データを取り込んだ後に、この画像データと同一撮影日の画像データを他の記録メディアからＰＣに取り込む場合など、デジタルカメラの記録メディアに記録された画像データをＰＣ側にフォルダごと取り込む際に、該フォルダと同一名称のフォルダがＰＣ側に既に存在していることがある。
【０００６】
従来技術では、このような場合、ＰＣ側の同一名称の既存のフォルダが上書きされてしまうという問題があった。具体的には、ＰＣ側の既存のフォルダにもともと格納されていたデータに記録メディアから取り込む画像データと同一名称（ファイル名）のものがあると、該データが記録メディアから取り込んだ画像データに上書きされてしまったり、該既存のフォルダにもともと格納されていたデータと記録メディアから取り込んだ画像データとが混在し、ユーザが画像データを管理し難くなるという問題もあった。
【０００７】
本発明は上記問題点を解消するためになされたもので、デジタルカメラで取得されて記録メディアに記録されたデータを読み出してコンピュータが管理している記録装置に格納する際のフォルダの上書きを防止することができるフォルダの作成方法及びプログラムを提供することを目的とする。
【０００８】
【課題を解決するための手段】
上記目的を達成するために、請求項１に記載の発明は、複数のフォルダを記録可能な記録装置を備えたコンピュータにおけるフォルダの作成方法であって、デジタルカメラにより撮影して取得された画像データが付帯情報と共に記録された記録メディアから前記画像データを読み出して前記記録装置に格納する際に、該読み出した画像データを格納するために、前記付帯情報を用いて既存の前記フォルダと異なるフォルダ名を付けたフォルダを前記記録装置に新規に作成する、ことを特徴としている。
【０００９】
請求項１に記載の発明では、記録メディアに記録されている画像データをコンピュータ側に取り込む際に、記録装置に該画像データを格納するために新規にフォルダを作成し、この新規フォルダのフォルダ名は、該画像データの付帯情報を用いて付けられるようになっている。
【００１０】
すなわち、記録装置に新規フォルダを作成して、この新規フォルダ内に記録メディアから読み込んだ画像データ（画像データファイル）を格納するので、記録装置側の既存フォルダの上書きを防止することができる。また、新規フォルダには付帯情報を用いて既存フォルダとは異なるフォルダ名が付けられるので、ユーザにとって何ら意味をなさないフォルダ名（例えば連番など）が付けられる場合と比べて、ユーザがデータを管理し易いという効果もある。
【００１１】
上記のフォルダの作成方法は、請求項２に記載されているように、複数のフォルダを記録可能な記録装置を備え、且つデジタルカメラにより撮影して取得された画像データが付帯情報と共に記録された記録メディアにアクセス可能なコンピュータに実行させるプログラムであって、前記記録メディアから前記画像データを読み出して前記記録装置に格納する際に、既存の前記フォルダのフォルダ名と異なるように、前記付帯情報を用いてフォルダ名を付けたフォルダを前記記録装置に新規に作成し、該新規に作成したフォルダに前記記録メディアから読み出した前記画像データを格納する、ことを特徴とするプログラムをコンピュータに実行させることにより実現可能である。
【００１２】
また、このプログラムは、請求項３に記載されているように、前記記録装置に既存のフォルダのフォルダ名と前記画像データの付帯情報とを比較し、前記既存のフォルダと区別可能な付帯情報を選択して新規フォルダのフォルダ名とする、ようにすれば、ユーザが意識せずとも自動的に新規フォルダのフォルダ名に用いる付帯情報が選択されて、既存フォルダと区別可能に新規フォルダを作成することができる。
【００１３】
【発明の実施の形態】
次に、図面を参照して本発明に係る実施形態の１例を詳細に説明する。
【００１４】
図１に示すように、本発明が適用されたＰＣ１０は、所定の規格（ＵＳＢ、ＩＥＥＥ１３９４など）のケーブル１２を介してデジタルカメラ１４と接続し、デジタルカメラ１４に装填されている記録メディア１６にアクセスすることができるようになっている。
【００１５】
具体的には、図１では、ＰＣ１０及びデジタルカメラ１４の各々の側面に、ケーブル１２の一端１２Ａ及び他端１２Ｂが装着可能な端子（図示省略）が設けられており、それぞれの端子にケーブル１２の端部１２Ａ、１２Ｂを装着することで、ＰＣ１０とデジタルカメラ１４とが接続されるようになっている。また、デジタルカメラ１４は、側面に、撮影によって得られた画像データをデジタルデータとして記憶する可搬型の記録メディア１６を装着可能なスロット２２が設けられており、スロット２２に記録メディア１６を装填して用いられるようになっている。なお、ＰＣ１０及びデジタルカメラ１４の端子の位置及び、デジタルカメラ１４のスロット２２の位置はこれに限定されるものではない。
【００１６】
また、記録メディア１６としては、例えば、スマートメディア、ＰＣカート、マイクロドライブ、マルチメディアカード（ＭＭＣ）、磁気ディスク、光ディスク、光磁気ディスク、メモリスティックなどの種々の形態が可能であり、デジタルカメラには使用されるメディアに応じた信号処理手段とインターフェースが適用される。
【００１７】
デジタルカメラ１４には、撮影により取得した画像データを撮影条件を表す付帯情報と共に記録メディアに記録する従来公知の一般的なものを用いることができる。図２にデジタルカメラ１４の一例を示す。
【００１８】
図２に示すデジタルカメラ１４は、被写体像を結像させるための光学ユニット４０と、光学ユニット４０の光軸後方に配設されたＣＣＤ（Ｃｈａｒｇｅ　Ｃｏｕｐｌｅｄ　Ｄｅｖｉｃｅ）４２と、デジタルカメラ１４の撮影によって得られた画像や各種情報を表示するためのＬＣＤ（液晶ディスプレイ）４４と、ユーザによって操作される操作手段４６と、ＣＣＤ４２による撮影によって得られた画像データを一時的に記憶するためのＳＤＲＡＭ４８と、各種プログラム、パラメータ、変換テーブルなどが予め記憶されたＥＥＰＲＯＭ５０と、デジタルカメラ１４全体の動作を司る主制御部５２と、を備えて構成されている。
【００１９】
なお、操作手段４６としては、静止画や動画撮影の実行を指示する際に操作されるシャッタスイッチ４６Ａ、静止画撮影モード及び再生モードの何れかを選択するために操作される撮影モード選択手段としてのモード切替スイッチ４６Ｂ、各種パラメータを設定したり、再生モード選択時には再生対象の画像を指定するために操作されるカーソルボタン４６Ｃ、本デジタルカメラ１４の電源をＯＮ／ＯＦＦするために操作される電源スイッチ４６Ｄなどが含まれる。
【００２０】
また、主制御部５２は、ＣＣＤ４２の駆動するＣＣＤ制御部６０と、ＣＣＤ４２から出力されたアナログ信号をデジタル信号に変換するＡ／Ｄコンバータ６２と、光学ユニット４０の光学ズーム倍率及び焦点を調整するＡ／Ｆ制御回路６４と、ＬＣＤ４４を駆動するＬＣＤ駆動回路６６と、ＳＤＲＡＭ４８に対するデータの読み書きを制御するメモリ制御回路６８と、画像データの圧縮・伸長する圧縮伸長回路７０と、所定のケーブル１２を介して該デジタルカメラ１４と接続されたＰＣ１０と各種データの送受信を行うための通信Ｉ／Ｆ回路７２と、記録メディア１６に対して各種データを読み書きするメディアＩ／Ｆ回路７４と、入力された画像データに対して所定のデジタル画像処理を施す画像処理回路７６と、主制御部５２の制御を司る制御手段としてのＣＰＵ７８とを備えて構成されている。これらＣＣＤ制御部６０、Ａ／Ｄコンバータ６２、Ａ／Ｆ制御回路６４と、ＬＣＤ４４を駆動するＬＣＤ駆動回路６６、メモリ制御回路６８、圧縮伸長回路７０、通信Ｉ／Ｆ回路７２、メディアＩ／Ｆ回路７４、及び画像処理回路７６、はバス（図示省略）によりＣＰＵ７８と接続されている。
【００２１】
また、ＣＰＵ７８は、各操作手段４６とも接続されており、ユーザによるこれら操作手段の操作状態を常時把握できる。ＣＰＵ７８は、操作手段４６の操作状態に応じて、上記主制御部５２の各部の作動を制御する。
【００２２】
詳しくは、デジタルカメラ１４は、電源スイッチ４６Ｄの操作により起動され、モード切替スイッチ４６Ｂにより撮影モードが選択されると、ＣＰＵ７８では、ＣＣＤ４２により連続的な撮影を開始し、各撮影毎に被写体像を示すアナログ画像信号が取得される。このアナルグ画像信号は、Ａ／Ｄコンバータ６２によりデジタルデータ（画像データ）に変換された後、画像処理回路７６に入力されて、各種補正処理やＹＣ変換処理を行なわれる。
【００２３】
ＣＰＵ７８では、画像処理回路７６により処理が施された後の画像データをメモリ制御回路６８を介して、ＳＤＲＡＭ４８に一旦格納した後、ＬＣＤ駆動回路６６へ転送して、ＬＣＤ４４に動画表示させる。これにより、ＬＣＤ４４にＣＣＤ１４による連続的な撮影結果（所謂スルー画像）が表示され、ユーザはＬＣＤ４４をファインダとして使用できる。
【００２４】
シャッタスイッチ４６Ａが半押しされると、ＣＰＵ７８は、Ａ／Ｆ制御回路６４に合焦制御（被写体像がＣＣＤ４２受光面上に合焦するように光学ユニット４０の焦点を調整する）を実行させ、ＬＣＤ４４に、合焦制御後のＣＣＤ１４による撮影結果を同様に表示させる。
【００２５】
シャッタスイッチ４６Ａが全押しされた場合は、ＣＰＵ７８は、該全押しと同期して、所定の露出制御（シャッタースピード、絞りなど）下で、合焦された状態の被写体像をＣＣＤ４２により撮影し、この撮影結果は、同様に、Ａ／Ｄコンバータ６２、画像処理回路７６の処理が施された後、メモリ制御回路６８を介して、ＳＤＲＡＭ４８に一旦格納した後、必要に応じて、圧縮伸長回路７０により圧縮し、付帯情報１０２と共に所定の形式でファイル化して、メディアＩ／Ｆ回路７４を介してスロット２２に装填された記録メディア１６に記録する。
【００２６】
すなわち、図３に示すように、デジタルカメラ１４では撮影により取得した画像データ１００は、付帯情報１０２と共にファイル化されて、画像データファイル１０４として記録メディア１６に記録される。画像データファイルに収められる画像データには、ＪＰＥＧで圧縮した画像データや非圧縮ＲＧＢ　ＴＩＦＦベースの画像データは勿論のこと、これらの画像データと共にサムネイル画像（縮小画像）データを含めることもできる。
【００２７】
ここで、付帯情報１０２は、画像データのファイル化に採用される形式の仕様で定められている。例えば、Ｅｘｉｆ（Ｅｘｃｈａｎｇｅａｂｌｅ　Ｉｍａｇｅ　Ｆｉｌｅ　Ｆｏｒｍａｔ）で画像データをファイル化した画像データファイルの場合は、撮影したデジタルカメラを示す情報（メーカ、機種名、シリアル番号など）、撮影露光時間、レンズのＦ値、露光制御のモード（マニュアル、通常のプログラムＡＥ、絞り優先、シャッター速度優先、低速プログラム、高速プログラム、ポートレートモード、風景モードなど）、撮影日時、シャッタ速度、レンズ絞り値、ＣＣＤ感度、画像撮影時の撮影対象物の明るさ、光源種、フラッシュ発光の有無、レンズの焦点距離、画像クォリティ（ＢＡＳＩＣ、ＮＯＲＭＡＬ、ＦＩＮＥなど）、及びＧＰＳ情報などを付帯情報１０２として収めることができる。
【００２８】
なお、以下では、説明の簡便化のために、付帯情報として、該デジタルカメラ１４のシリアル番号、露光制御モード、撮影日時が画像データと共に納められる場合を例に説明する。
【００２９】
また、デジタルカメラ１４では、図４に示すように、記録メディア１６に撮影日付など所定の条件毎にフォルダ１０６を作成し、画像データ１００及び付帯情報１０２をファイル化した画像データファイル１０４を条件に合ったフォルダ１０６に格納するようになっている。なお、図４は、撮影日付（撮影年月日）によりフォルダ１０６を作成した場合の例である。また、図４において、各フォルダ１０６を表す矩形内の文字はそれぞれのフォルダ名を表し、各画像データファイル１０４を表す矩形内の文字は各々のファイル名を表している。
【００３０】
なお、操作手段４６の操作によりユーザが任意に画像データファイル１０４を格納するためのフォルダ１０６を記録メディア１６に作成可能としてもよい。
【００３１】
一方、ＰＣ１０には、処理結果などを表示するための表示装置、及びキーボードやマウスなどの各種指示や情報を入力するための操作入力装置を備え、且つデータを格納するための記録装置、及び内部にＣＰＵ、ＲＡＭ、ＲＯＭを備えた従来公知の一般的なものを用いることができる。なお、記憶装置は、ＰＣ１０により認識されたものであれば、内蔵型でも外付け型でもよい。また、ＦＤドライブなど可搬性の記録メディアに記録するものでもよい。
【００３２】
図５にＰＣ１０の一例を示す。図５に示すＰＣ１０は、ＣＰＵ８０と、ＲＡＭ８２と、ＲＯＭ８４と、記憶装置としてのＨＤＤ８６と、所定のケーブル１２を介して該ＰＣ１０と接続されたデジタルカメラ１４と各種データの送受信を行うための通信Ｉ／Ｆ回路８８とを備え、これらＣＰＵ８０、ＲＡＭ８２、ＲＯＭ８４、ＨＤＤ８６、及び通信Ｉ／Ｆ回路８８はバス９０により相互に接続されている。また、ＰＣ１０は、表示装置９２と、操作入力装置９４を更に備え、これら表示装置９２及び操作入力装置９４は、それぞれ表示Ｉ／Ｆ回路９６及び入力Ｉ／Ｆ回路９８を介してバス９０に接続されている。
【００３３】
ここで、ＰＣ１０には、ケーブル１２を介してデジタルカメラ１４と接続された場合に、該デジタルカメラ１４に装填されている記録メディア１６から指定した画像データを読み出すためのプログラム９９がコピーされてインストールされている。このプログラム９９は、ＣＤ−ＲＯＭなどの記録媒体から読み出したり、無線や有線のネットワークを介した通信により、例えばＨＤＤ８６にコピーされてインストールされている。
【００３４】
また、ＨＤＤ８６には、図６に示すように、データを格納するためのフォルダ１１０を作成し、フォルダ１１０内に画像データファイル、テキストデータファイル、アプリケーションプログラムで作成したデータファイルなどの各種データ１１２（図６では、画像データファイルを例に示している）を分類して格納することができるようになっている。また、フォルダ１１０内に、更にフォルダ１１０を作成することもできる。なお、図６において、各フォルダ１１０を表す矩形内の文字はそれぞれのフォルダ名を表し、各データ１１２を表す矩形内の文字は各々のファイル名を表している。
【００３５】
次に、本実施の形態の作用として、プログラム９９を実行した場合に行われる処理について説明する。
【００３６】
ＰＣ１０では、記録メディア１６が装填されたデジタルカメラ１４と接続した状態で、ＣＰＵ８０によりこのプログラム９９を起動して実行することで、図７に示すような処理が行われる。
【００３７】
すなわち、まず、図７のステップ２００において、記録メディア１６のフォルダ構造（図４参照）を表示装置９２に表示するなどして、該記録メディア１６に格納されている画像データファイル１０４をユーザに報知し、ユーザにより操作入力装置９４が操作されて、記録メディア１６から該ＰＣ１０に取り込む画像データ１００として、画像データファイル１０４の指定を受け付ける。なお、画像データファイル１０４の指定は、フォルダ１０６単位で行うこともできるし、フォルダ１０６内に格納されている画像データファイル１０４の中から１つ又は複数選択することもできる。
【００３８】
また、次のステップ２０２で、該ＰＣ１０が管理している記憶装置、具体的には本実施の形態ではＨＤＤ８６のフォルダ構造（図６参照）を表示装置９２に表示するなどして、画像データファイル１０４を格納可能なフォルダ１１０をユーザに報知し、画像データファイル１０４の格納先フォルダの指定を受け付ける。
【００３９】
なお、記録メディア１６のフォルダ構造と該ＰＣ１０が管理しているＨＤＤを始めとする各種記憶手段のフォルダ構造とを同時に表示し、画像データを選択して格納先フォルダにしたいフォルダを示す位置へ移動させるように操作する所謂ドラッグ＆ドロップ操作により、画像データ及び格納先フォルダが同時に指定されるようにしてもよい。
【００４０】
ユーザにより画像データ及び格納先フォルダが指定されると、次のステップ２０４で、フォルダ名を「自動選択する」のかユーザが「指定する」のかを選択するための画面を表示装置９２に表示して何れかの選択を促し、ユーザにより操作入力装置９４が操作されて、「自動選択する」が選択された場合はステップ２０６に進み、「指定する」が選択された場合は後述のステップ２２０に進む。
【００４１】
図８に、このとき表示装置９２に表示される画面の一例を示す。図８に示す画面には、「自動選択する」及び「指定する」の文字列３００Ａ、３００Ｂが上下に並んで配置され、且つ各文字列３００Ａ、３００Ｂの左隣には、各々に対応してラジオボタン３０２Ａ、３０２Ｂが設けらていおり、また、該画面下部にはＯＫボタン３０４も設けられている。
【００４２】
ユーザは、操作入力装置９４を操作して、「自動選択する」を選択する場合はラジオボタン３０２ＡをＯＮし、「指定する」を選択する場合はラジオボタン３０２ＢをＯＮして、ＯＫボタン３０４を選択（所謂クリック）すればよい。
【００４３】
なお、ユーザは「自動選択する」／「指定する」の選択作業を毎回行う必要はなく、予めユーザにより何れを選択するかを設定し、この設定情報を記憶しておき、この設定情報に基づいて選択されるようにしてもよい。
【００４４】
ステップ２０６では、記録メディア１６に格納されている画像データファイル１０４のうち、前述のステップ２００でユーザにより指定された画像データファイル１０４に画像データ１００の付帯情報１０２として含まれている情報（デジタルカメラ１４のシリアル番号、露光制御モード、撮影年月日）を解析し、前述のステップ２０２でユーザにより格納先として指定されたフォルダ１１０内の既存のフォルダ１１０のフォルダ名と比較する。以下、格納先フォルダとして指定されたフォルダを指定フォルダ１１０Ａ、指定フォルダ１１０Ａ内の既存のフォルダを既存フォルダ１１０Ｂと称す。
【００４５】
そして、何れの種類の付帯情報１０２をフォルダ名に用いれば既存フォルダ１１０Ｂと区別可能か、すなわち既存フォルダＢと同一のフォルダ名とならずに新規にフォルダ１１０を作成することができるかを判別していく。以下、新規に作成したフォルダのことを新規フォルダ１１０Ｃと称す。
【００４６】
具体的には、まず、ステップ２０８で、撮影年月日をフォルダ名とした場合に既存フォルダ１１０Ｂと区別可能であるか否かを判別し、既存フォルダ１１０Ｂに同一名称のものが無ければステップ２１６に進み、該撮影年月日を新規フォルダ１１０Ｃのフォルダ名に決定し、既存フォルダ１１０Ｂに同一名称のものがある場合は、ステップ２１０に進む。
【００４７】
ステップ２１０では、露光制御モードをフォルダ名とした場合に既存フォルダ１１０Ｂと区別可能であるか否かを判別し、既存フォルダ１１０Ｂに同一名称のものが無ければステップ２１６に進み、該露光制御モードを新規フォルダ１１０Ｃのフォルダ名に決定し既存フォルダ１１０Ｂに同一名称のものがある場合は、ステップ２１２に進む。
【００４８】
ステップ２１２では、デジタルカメラ１４のシリアル番号をフォルダ名とした場合に既存フォルダ１１０Ｂと区別可能であるか否かを判別し、既存フォルダ１１０Ｂに同一名称のものが無ければステップ２１６に進み、該シリアル番号を新規フォルダ１１０Ｃのフォルダ名に決定し、既存フォルダ１１０Ｂに同一名称のものがある場合は、ステップ２１４に進む。
【００４９】
ステップ２１４では、表示装置９２にフォルダ名の入力するための画面を表示するなどして、ユーザにフォルダ名の指定を促し、ユーザにより操作入力装置９４が操作されてフォルダ名が入力されたら、ステップ２１６に進み、入力されたフォルダ名を新規フォルダ１１０Ｃのフォルダ名に決定する。
【００５０】
なお、本実施の形態では、撮影年月日、露光制御モード、デジタルカメラ１４のシリアル番号の順序で、既存のフォルダと区別可能か否かの判断を行うようにした場合を例に説明したが、本発明は判断順序をこれに限定するものではなく、予め定められた優先順序に従って判断を行えばよい。
【００５１】
一方、「指定する」が選択されてステップ２２０に進んだ場合は、フォルダ名に用いる付帯情報１０２の種類を指定するための画面を表示装置９２に表示してユーザによる指定を受け付ける。
【００５２】
図９に、このとき表示される画面の一例を示す。図９に示す画面には、選択可能な付帯情報の種類として「撮影年月日」、「露光制御モード」、及び「デジタルカメラのシリアル番号」の文字列３１０Ａ、３１０Ｂ、３１０Ｃが上下に並んで配置され、且つ各文字列３１０Ａ、３１０Ｂ、３１０Ｃの左隣には、各々に対応してラジオボタン３１２Ａ、３１２Ｂ、３１２Ｃが設けらており、該画面下部にはＯＫボタン３１４も設けられている。
【００５３】
ユーザは、操作入力装置９４を操作して、フォルダ名に用いる付帯情報の種類に「撮影年月日」を指定する場合はラジオボタン３１２ＡをＯＮし、「露光制御モード」を指定する場合はラジオボタン３１２ＢをＯＮし、「デジタルカメラのシリアル番号」を指定する場合はラジオボタン３１２ＣをＯＮして、ＯＫボタン３１４を選択（所謂クリック）すればよい。
【００５４】
ユーザにより操作入力装置９４が操作されて撮影年月日、露光制御モード、デジタルカメラ１４のシリアル番号の何れかが選択されてフォルダ名に用いる付帯情報１０２の種類が指定されたら、次のステップ２２２に進む。
【００５５】
ステップ２２２では、記録メディア１６から前述のステップ２００でユーザにより指定された画像データの付帯情報１０２のうち、ステップ２２０でユーザにより指定された種類の付帯情報１０２を読み出して、新規フォルダ１１０Ｃのフォルダ名に決定する。
【００５６】
このようにしてステップ２１６又はステップ２２２でフォルダ名を決定したら、ステップ２３０に進み、前述のステップ２０２でユーザにより指定されたＨＤＤ８６の指定フォルダ１１０Ａ内に、該決定したフォルダ名で新規フォルダ１１０Ｃを作成し、次のステップ２３２では、前述のステップ２００でユーザにより指定された画像データ、すなわち画像データファイル１０４を記録メディア１６から読み出して作成した新規フォルダ１１０Ｃ内に格納する。
【００５７】
次に、具体的に、ユーザにより記録メディア１６から該ＰＣ１０に取り込む画像データ１００として、記録メディア１６の図４の「撮影年月日Ａ」というフォルダ名のフォルダ１０６に格納されている画像データファイル１０４が指定され、且つＨＤＤ８６の図６の「ｐｉｃｔｕｒｅ」というフォルダ名のフォルダ１１０が指定フォルダ１１０Ａとして指定された場合について説明する。また、「撮影年月日Ａ」というフォルダ名のフォルダ１０６内の各画像データファイル１０４の付帯情報１０２は、「撮影年月日Ａ」、「露光制御モードＡ」、「シリアル番号Ａ」となっているとする。
【００５８】
図６に示すように、指定フォルダ１１０Ａとして指定された「ｐｉｃｔｕｒｅ」というフォルダ名のフォルダ１１０内には、「撮影年月日Ａ」というフォルダ名の既存フォルダ１１０Ｂが既に存在している。このため、ユーザにより、フォルダ名を「自動選択する」ことが選択された場合は、図７のステップ２０８で否定判定され、ステップ２１０で肯定判定される。
【００５９】
したがって、付帯情報１０２の中から自動的に「露光制御モードＡ」という情報が選択されてフォルダ名に決定され、図１０に示すように、指定フォルダ１１０Ａ内に、「露光制御モードＡ」というフォルダ名の新規フォルダ１１０Ｃが作成される。言いかえると、ユーザが意識せずとも自動的に新規フォルダのフォルダ名に用いる付帯情報が選択されて、既存フォルダと区別可能に新規フォルダを作成することができる。
【００６０】
この新規フォルダ１１０Ｃ内に、記録メディア１６側の「撮影年月日Ａ」というフォルダ名のフォルダ１０６に格納されていた画像データファイル１０４が格納されるので、フォルダ１１０が上書きされることがない。
【００６１】
また、フォルダ名をユーザが「指定する」場合は、ユーザは自分がどのようにデータを管理したいかによって、付帯情報１０２の種類を指定すればよい。例えば、フォルダを上書きしたくなければ、ユーザは、ＨＤＤ側の指定フォルダ１１０Ａ内の既存フォルダ１１０Ｂのフォルダ名を確認して、同一名にならないであろう付帯情報１０２の種類、具体的には「撮影年月日」以外のものを指定すればよい。また、撮影年月日毎など所定の条件でデータを整理して管理したい場合は、ユーザは、該条件に対応する付帯情報１０２の種類を指定すればよい。
【００６２】
このように、本実施の形態では、ＰＣ１０では、該ＰＣ１０が管理している記録装置に新規フォルダ１１０Ｃを作成して、この新規フォルダ１１０Ｃ内に記録メディア１６から読み込んだ画像データ（画像データファイル）が格納されるので、フォルダが上書きされる心配がない。また、新規フォルダ１１０Ｃには、画像データの付帯情報を用いて既存フォルダ１１０Ｂとは異なるフォルダ名が付けられるので、ユーザにとって何ら意味をなさないフォルダ名（例えば連番など）が付けられる場合と比べて、ユーザがデータを管理し易いという効果もある。
【００６３】
なお、上記では説明の簡便化のために、既存のフォルダと同一名称とならないような１種類の付帯情報を用いて新規に作成したフォルダのフォルダ名を付ける場合を例に説明したが、例えば撮影年月日と露光制御モードを組合せるなど複数種類の付帯情報を用いてフォルダ名を付けてもよい。
【００６４】
【発明の効果】
上記に示したように、本発明は、デジタルカメラで取得されて記録メディアに記録されたデータを読み出してコンピュータが管理している記録装置に格納する際のフォルダの上書きを防止することができるという優れた効果を有する。
【図面の簡単な説明】
【図１】本発明の実施の形態に係わるＰＣの接続構成を示す図である。
【図２】本発明の実施の形態に係わるデジタルカメラの一例を示す構成図である。
【図３】本発明の実施の形態に係わる記録メディアに記録される画像データ（画像データファイル）の概念図である。
【図４】記録メディアのフォルダ構成の一例を示す図である。
【図５】本発明の実施の形態に係わるＰＣの一例を示す構成図である。
【図６】ＨＤＤのフォルダ構成の一例を示す図である。
【図７】本発明の実施の形態に係わるプログラムをＰＣで実行した場合の処理を表すフローチャートである。
【図８】ＰＣのディスプレイに表示される画面の一例を示す図である。
【図９】ＰＣのディスプレイに表示される画面の一例を示す図である。
【図１０】本発明の実施の形態に係わるプログラムの処理により、記録メディアから読み出した画像データの格納後のＨＤＤのフォルダ構成の一例を示す図である。
【符号の説明】
１０　ＰＣ
１２　ケーブル
１４　デジタルカメラ
１６　記録メディア
２２　スロット
８６　ＨＤＤ
９２　表示装置
９４　操作入力装置
９９　プログラム
１００　　　　　　画像データ
１０２　　　　　　付帯情報
１０４　　　　　　画像データファイル
１０６　　　　　　フォルダ
１１０　　　　　　フォルダ
１１０Ａ　　　　指定フォルダ
１１０Ｂ　　　　既存フォルダ
１１０Ｃ　　　　新規フォルダ
【図１】
2004056707.tif 000003
【図２】
2004056707.tif 000004
【図３】
2004056707.tif 000005
【図４】
2004056707.tif 000006
【図５】
2004056707.tif 000007
【図６】
2004056707.tif 000008
【図７】
2004056707.tif 000009
【図８】
2004056707.tif 000010
【図９】
2004056707.tif 000011
【図１０】
2004056707.tif 000012